(57)【要約】      （修正有）【課題】捕球時の衝撃を緩和する野球グローブを提供する。【解決手段】捕球面側の牛革の内側に配置する緩衝用パッドを有する野球グローブであって、緩衝用パッド３０の構造は、低反発弾性材料の両側にカバー部材を配置したものであり、緩衝用パッドは、捕球面側の少なくともポケット部１１に配置されており、低反発弾性材料は、ウレタンまたはアクリルであり、低反発弾性材料の両側または手が当たる側に配置されたカバー部材は牛革であり、低反発弾性材料とカバー部材の間には、これらを接着する接着剤が存在し、緩衝用パッドと野球グローブの捕球面側の牛革との間にも、それらを接着する接着剤が存在する。【選択図】図２
0003218737.tif 000002
【実用新案登録請求の範囲】
【請求項１】
捕球面側の牛革の内側に配置する緩衝用パッドを有する野球グローブであって、
前記緩衝用パッドの構造は、低反発弾性材料の両側にカバー部材を配置したものであることを特徴とする野球グローブ。
【請求項２】
前記緩衝用パッドは、捕球面側の少なくともポケット部に配置されたものであることを特徴とする、請求項１に記載の野球グローブ。
【請求項３】
前記低反発弾性材料は、ウレタンまたはアクリルであることを特徴とする、請求項１または２に記載の野球グローブ。
【請求項４】
前記低反発弾性材料の両側または手が当たる側に配置されたカバー部材は牛革であることを特徴とする、請求項１〜３のいずれかの項に記載の野球グローブ。
【請求項５】
前記低反発弾性材料と前記カバー部材の間には、これらを接着する接着剤が存在することを特徴とする、請求項１〜４のいずれかの項に記載の野球グローブ。
【請求項６】
前記緩衝用パッドと前記野球グローブの捕球面側の牛革との間には、前記緩衝用パッドと前記野球グローブの捕球面側の牛革を接着する接着剤が存在することを特徴とする、請求項１〜５のいずれかの項に記載の野球グローブ。
【請求項７】
前記緩衝用パッドと前記野球グローブの捕球面側の牛革との間には、前記緩衝用パッドと前記野球グローブの捕球面側の牛革を着脱自在の部材が配置されていることを特徴とする、請求項１〜６のいずれかの項に記載の野球グローブ。
【請求項８】
前記低反発弾性材料の手が当たる側のカバー部材は、野球グローブの捕球面側の牛革に前記緩衝用パッドを着脱自在にする部材であることを特徴とする、請求項１〜６のいずれかの項に記載の野球グローブ。
【考案の詳細な説明】
【技術分野】
【０００１】
本考案は、ボールを捕球する部分に捕球時の衝撃を緩和する緩衝部材を用いた野球グローブに関する。
【背景技術】
【０００２】
野球グローブは、捕球面側牛革および背面側牛革を合わせて作製され、野球ボールは主として捕球面側牛革のポケット部分で捕球される。野球グローブは、野球ボール（以下、ボール）を捕球する際の衝撃を緩和し、手にダメージを与えないために手に着用される。野球グローブを構成している牛革だけでは、捕球時の衝撃の緩和は不十分であり、野球グローブの内側の袋（内袋）内に収めた手に少なからずダメージを及ぼす。鋭い打球や速球を捕球したときは当然であるが、通常の打球等を繰り返し捕球すると手にダメージが蓄積する。
【先行技術文献】
【特許文献】
【０００３】
【特許文献１】特表２００８−５３３３２７
【考案の概要】
【考案が解決しようとする課題】
【０００４】
牛革だけで構成された通常の野球グローブでは手にダメージが蓄積してしまうので、これを防止するために、野球グローブの捕球面側の牛革の厚みを厚くする方法があるが、牛革だけでダメージを防止するには、牛革の厚みをかなり厚くしなければならず（たとえば、通常厚みの３〜５倍の厚み）、野球グローブが重くなり手に負担を与えるとともにプレーに支障をきたす（プレーがしにくい）ことに加え、野球グローブが重くなってしまう。
また、全域に複数の孔を有する第１の衝撃及び／または振動吸収材料層および全域に複数の孔を有する第２の衝撃及び／または振動吸収材料層を互いに重ね合わせてそれぞれの孔をオフセット構造にした衝撃及び／または振動保護用品を野球グローブに適用することが提案されている（特許文献１）が、孔の深さをある程度大きくしないと効果が小さいために、野球グローブの捕球面がかなり厚くなってしまうこと、さらに孔自体が閉空間となっているために復元が遅く捕球者の動作が緩慢となり操作性が悪くなるという問題がある。
【課題を解決するための手段】
【０００５】
本考案の目的は、ボールを捕球した時に、捕球時の衝撃を緩和して捕球しやすい野球グローブを提供することであり、本考案は、具体的には以下の特徴を有する。
（１）本考案は、捕球面側の牛革の内側に配置する緩衝用パッドを有する野球グローブであって、前記緩衝用パッドの構造は、低反発弾性材料の両側にカバー部材を配置したものであり、前記緩衝用パッドは、捕球面側の少なくともポケット部に配置されており、前記低反発弾性材料は、ウレタンまたはアクリルであり、また前記低反発弾性材料の両側または手が当たる側に配置されたカバー部材は牛革であることを特徴とする野球グローブである。
（２）本考案は、（１）に加えて、前記低反発弾性材料と前記カバー部材の間には、これらを接着する接着剤が存在し、前記緩衝用パッドと前記野球グローブの捕球面側の牛革との間には、前記緩衝用パッドと前記野球グローブの捕球面側の牛革を接着する接着剤が存在することを特徴とする。さらに、前記緩衝用パッドと前記野球グローブの捕球面側の牛革との間には、前記緩衝用パッドと前記野球グローブの捕球面側の牛革を着脱自在の部材が配置されており、また、前記低反発弾性材料の手が当たる側のカバー部材は、野球グローブの捕球面側の牛革に前記緩衝用パッドを着脱自在にする部材であることを特徴とする。
【考案の効果】
【０００６】
本考案の野球グローブは、ボールを捕球する面側の牛革の内側に低反発弾性材料を含む緩衝用パッドを配置しており、ボールの捕球時の衝撃を吸収緩和して衝撃度を十分に低減でき、プレーヤーの手に与えるダメージを極めて小さくできる。その結果プレーヤーの手の損傷を少なくできる。また、衝撃吸収性、制振性、低圧分散性にも優れているので、リバウンドも起こさない。従って、捕球性に優れ、動作性能も良い。
【図面の簡単な説明】
【０００７】
【図１】図１は、捕球面側の野球グローブの外観を示す図である
【図２】図２は、野球グローブにおける本考案の緩衝用パッドの配置状態を示す図である。
【図３】図３は、本考案の緩衝用パッドの断面構造を示す図である。
【図４】図４は、本考案の緩衝用パッドの実施例である。
【考案を実施するための形態】
【０００８】
本考案の目的は、ボールを捕球したときに捕球時の衝撃を吸収して手に与える衝撃を緩和して、手に及ぼすダメージを低減することである。図１は、野球グローブの捕球面側５の外観を示す図である。図１に示すように、捕球面側５には捕球面側皮革１０、野球ボールを捕球するポケット部１１、ウェッブ（網）１２、各指部（１３、１４、１５、１６、１７）、あご部１８、手挿入口１９、親指芯止め２０、土手レース（芯とじ）２１、小指芯止め２２、（人差し）指芯止め２３、指先芯止め２４などが存在する。捕球面側皮革１０は背面側皮革２５とはみだし部分２６で接続している。
【０００９】
図２は、野球グローブにおける本考案の緩衝用パッド３０の配置状態を示す図である。図２に示す野球グローブは図１と同じものであり、その野球グローブに重ねて本考案の緩衝用パッド３０を示す。本考案の緩衝用パッド３０は、野球グローブの捕球面側皮革１０の内側に配置されるので、その外郭を破線で記載している。
【００１０】
本考案の緩衝用パッドは、ボールを捕球したときに捕球時の衝撃を吸収して手に与える衝撃を緩和したり、捕球時の反発を緩和して捕球しやすくしたり、捕球時の瞬間を即座に手に感じ取って次の動作（たとえば、捕球した後に捕球していない手でボールを握り送球する）に移り易くしたりすることを目的としている。従って、本考案の緩衝用パッドは、野球グローブの捕球する部分に配置される。すなわち、手のひら（掌）が当たるポケット部分１１、親指部分１３、人差し指部分１４、中指部分１５、薬指部分１６、子指部分１７に配置される。特に野球ボールが良く当たるポケット部分１１は必須である。材料節約やコスト低減のために他の指部分は省略する場合もあるが、野球ボールが良く当たる各指部の腹部の部分は設けた方が良い。可能ならば、各指部の全体を被う部分にも本考案の緩衝用パッド３０を設けるべきである。
【００１１】
図３は、本考案の緩衝用パッド３０の断面構造を示す図である。本考案の緩衝用パッド３０は、中央に低反発弾性材料（部材）３１が存在し、その両側をカバー部材３２、３３が存在する。すなわち、低反発弾性材料（部材）３１をカバー部材３２、３３で挟んだ構造である。カバー部材３３は、捕球面側皮革３５の内側にあるので、カバー部材（捕球面側）３３と記載する。また、カバー部材３２は手の掌側にあるので、カバー部材（掌側）と記載する。捕球面側皮革３５の外側にボール３６が接触する。低反発弾性材料は、通常（一般）の材料に比べて反発弾性率が約１５％以下（ＪＩＳＫ６４００−３）と反発弾性率が非常に小さいという特徴がある。たとえば、一般材料の反発弾性率が約４０〜６０に対して低反発弾性材料（部材）は約２〜４である。（ＪＩＳＫ６４００−３）
【００１２】
低反発弾性材料（部材）は、たとえばウレタンやアクリルである。これらの低反発弾性材料（部材）は連通気泡の発泡体構造となっているため、衝撃力が吸収され緩和される。また、これらの低反発弾性材料（部材）は、軽く、衝撃吸収性、制振性、低圧分散性にも優れている。たとえば、衝撃吸収性については、２００ｇの鉄球を１５０ｍｍの高さから材料（フォーム）表面に落下させたとき、通常（一般）材料は約４０Ｇの衝撃加速度であるのに対して、低反発弾性材料（部材）は約２０〜３０Ｇの衝撃加速度であり、またリバウンドの回数も通常（一般）材料は３回以上に対して低反発弾性材料（部材）は０回と、衝撃を瞬時に吸収しリバウンドも起こさず衝撃吸収性にも優れている。さらに、一定荷重時の材料の応力が荷重部分で分散され、局部的な圧力がかからず、圧縮荷重が緩和される。硬さも通常（一般）材料は１００〜１５０に対して、低反発弾性材料（部材）は約６０〜２０である。（ＪＩＳＫ６４００−２）
【００１３】
さらに、これらの低反発弾性材料（部材）は連通気泡の発泡体構造となっているため、通気性が良く、皮膚への刺激も少なく、身体からの湿気や汗を発散させるので、野球グローブを長時間手にはめていても疲れることも少ない。このように、本考案の緩衝用パッド３０に使用する低反発弾性材料（部材）は静的負荷での形状を保持し、動的負荷（捕球時）に対しての衝撃保護や隔離（防御）を可能とし、その低反発性と高いエネルギー吸収性の優れた組合せにより効果的なダンピング性能と振動隔離性能、優れた防音性能を発揮する。さらに、衝撃吸収後元の形状に即座に戻り復元性にも優れていて、柔軟性も良く速いボールを捕球しても捕球後瞬時に元に戻る（追随性が良い）ので、次の動作（ボールを握り投げる）に移ることも容易である。また、屈曲性にも優れているので、繰り返しの変形や折り曲げ・屈曲に対しても耐久性がある。尚、低反発弾性材料（部材）として、たとえば、ウレタンやアクリル以外の低反発弾性高分子材料や低反発弾性エラストマー、低反発弾性ゴムなども本考案に使用できる。また、本低反発弾性材料は丈夫であり、長期間使用しても形状が変化したり特性が劣化することもない。
【００１４】
本考案の緩衝用パッドに使用する低反発弾性材料３１の厚みは、たとえば１〜２ｍｍ、カバー部材３２、３３の厚みは、たとえば１〜２ｍｍである。従って厚みをそれほど厚くする必要がないので、野球グローブに挿入した手に違和感は殆どなく緩衝用パッドのない野球グローブと同じように手に装着でき、しかも上記したような優れた特徴を発揮する。さらに、本考案の緩衝用パッドはこのように薄いので、また材料の密度も小さいので、本考案の緩衝用パッドは軽いという特徴もある。従って、動作性も緩衝用パッドのない野球グローブと同様であり、プレー操作性も良い。
【００１５】
緩衝用パッド３０の低反発弾性材料（部材）とカバー部材３２および／または３３と接着剤等で付着させておけば、緩衝用パッド３０は一体物として使用できる。カバー部材３２および３３を袋状にして、その袋内に低反発弾性材料（部材）を入れておけば、低反発弾性材料（部材）が劣化した場合（たとえば、汗などで汚れた場合）、新しいものと交換可能であり、他の低反発材料と交換することもできるし、厚みの異なる低反発材料を使用することもでき、野球グローブの目的に応じて変更することもできる。特に微妙な変更を加えたいときには有効である。
【００１６】
緩衝用パッド３０のカバー部材（捕球面側）３３は捕球面側の野球グローブの皮革３５（通常は牛革）に接触している。緩衝用パッド３０は、接着剤等（たとえば、グリース）を用いて野球グローブの皮革３５に付着させる。接着剤として、たとえばエポキシ系接着剤やアクリル系接着剤やウレタン系接着剤やシリコーン系接着剤等合成系接着剤、天然ゴム系接着剤、植物由来の接着剤、動物由来の接着剤、皮革用接着剤がある。あるいは、両面接着シート（テープ）も使用できる。この場合は、簡単には取り外しできないが、たとえば、熱可塑性接着剤を用いれば、野球グローブを暖めることによって、熱可塑性接着剤を軟化させることによって取り外し可能である。たとえば、軟化温度が７０℃〜１００℃の熱可塑性接着剤を使用すれば、野球グローブの材質に影響を与えることもない。
【００１７】
あるいは、緩衝用パッド３０のカバー部材（捕球面側）３３に面ファスナーを取り付けておけば、野球グローブの皮革３５に自在に着脱することもできる。この場合、緩衝用パッド３０のカバー部材（捕球面側）３３自体を面ファスナーとすることもできる。あるいは、フックやボタンを緩衝用パッド３０のカバー部材（捕球面側）３３に取り付けておき、これに対応する野球グローブの皮革３５の内側にもフックやボタンを取り付けておけば、これらを嵌め合わせすることによって、野球グローブの皮革３５の内側に緩衝用パッド３０を固定できるとともに、必要なときに取り外しもできるし、別のものと交換することもできる。あるいは、緩衝用パッド３０に穴を開けたりして、捕球面側皮革１０に配置された各種レース（芯止め）（たとえば、２０、２１、２２、２３、２４）を緩衝用パッド３０の穴に通して緩衝用パッド３０を捕球面側皮革１０（野球グローブの皮革３５）に固定することもでき、また取り外したり交換したりすることもできる。
【００１８】
カバー部材３２、３３は、たとえば牛革である。牛革であれば、野球グローブの素材と類似するのでなじみが良い。あるいは、カバー部材３２および／または３３は、たとえば綿や布を使うこともでき、材料費を低減することもできる。図４は本考案の緩衝用パッドの実施例である。中央に低反発弾性材料（部材）４１、その両側に牛革４２、４３を配置して、これらを接着剤で接着する。実施例の緩衝用パッドでは、ほぼ同サイズ同形状の部材４１、４２、４３を重ねている。手のひらの部分はポケット部より大きめに作製している。また、指部も長くしてほぼ指全体を被うようなサイズにしている。このような緩衝用パッドを野球グローブの捕球用側皮革の内側にグリースで貼り付けて本考案の野球グローブを完成する。
【００１９】
以上詳細に説明した様に、本考案の緩衝用パッドを装備した野球グローブは、ボール捕球時の衝撃を緩和するとともに、捕球性および操作性にも優れたものである。尚、明細書の各部分に記載し説明した内容を記載しなかった他の部分においても矛盾なく適用できることに関しては、当該他の部分に当該内容を適用できることは言うまでもない。また、本考案は、野球グローブと記載しているが、当然野球ミット（たとえば、キャッチャーミット、ファーストミット）やソフトボール用グローブ（ミットを含む）にも適用できる。さらに、上記実施形態は一例であり、要旨を逸脱しない範囲内で種々変更して実施でき、本考案の権利範囲が上記実施形態に限定されないことも言うまでもない。
【産業上の利用可能性】
【００２０】
本考案は、野球グローブ等だけでなく、衝撃を与える他のスポーツ用具、たとえばクリケット用グローブ、アイスホッケー用グローブにも適用することができる。
【符号の説明】
【００２１】
５捕球面側、１０捕球面側皮革、１１ポケット部、１２ウェッブ（網）、
１３親指部、１４人差し指部、１５中指部、１６薬指部、１７小指部、１８あご部、
１９手挿入口、２０親指芯止め、２１土手レース（芯止め）、
２２小指芯止め、２３人差し指芯止め、２４指先芯止め、３０緩衝用パッド、
３１低反発弾性材料（部材）、３２カバー部材、３３カバー部材
【図１】
0003218737.tif 000003
【図２】
0003218737.tif 000004
【図３】
0003218737.tif 000005
【図４】
0003218737.tif 000006
【手続補正書】
【提出日】平成30年9月7日(2018.9.7)
【手続補正１】
【補正対象書類名】実用新案登録請求の範囲
【補正対象項目名】請求項７
【補正方法】変更
【補正の内容】
【請求項７】
前記緩衝用パッドと前記野球グローブの捕球面側の牛革との間には、前記緩衝用パッドと前記野球グローブの捕球面側の牛革を着脱自在の部材が配置されていることを特徴とする、請求項１〜５のいずれかの項に記載の野球グローブ。
【手続補正２】
【補正対象書類名】実用新案登録請求の範囲
【補正対象項目名】請求項８
【補正方法】変更
【補正の内容】
【請求項８】
前記低反発弾性材料の手が当たる側のカバー部材は、野球グローブの捕球面側の牛革に前記緩衝用パッドを着脱自在にする部材である面ファスナーであるか、あるいは、フックまたはボタンが取り付けけられた部材であることを特徴とする、請求項１〜６のいずれかの項に記載の野球グローブ。